(57)【要約】【課題】高精度、高分解能で眼球内の波面収差を補正できる眼科装置及び波面収差補正方法を提供する。【解決手段】光源より測定光路を介して被検眼の眼底に光を照射し、戻り光を該測定光路を介して受光センサーに導き、網膜の像を撮像する眼科装置は、光源からの光を測定光路へ進む光と、測定光路とは異なる参照光路へ進む光とに分割し、参照光路で折り返された戻り光と測定光路からの戻り光を合成して干渉光を取得し、被検眼の瞳の位置と共役な位置において上記合成された干渉光により生成される干渉縞を撮像し、撮像された干渉縞の画像から得られる被検眼の波面収差を補正する補正データにより測定光路を通る光の波面収差を補正する。【選択図】      図１
2014079464.tif 000002
【特許請求の範囲】
【請求項１】
光源より測定光路を介して被検眼の眼底に光を照射し、戻り光を該測定光路を介して受光センサーに導き、網膜の像を撮像する眼科装置であって、
前記光源からの光を前記測定光路へ進む光と、前記測定光路とは異なる参照光路へ進む光とに分割し、前記参照光路で折り返された戻り光と前記測定光路からの戻り光を合成して干渉光を得る光分割手段と、
前記被検眼の瞳の位置と共役な位置に、前記干渉光により生成される干渉縞を撮像する撮像手段と、
前記撮像手段によって撮像された干渉縞の画像から得られる前記被検眼の波面収差を補正する補正データにより、前記測定光路を通る光の波面収差を補正する補正手段と、を有することを特徴とする眼科装置。
【請求項２】
前記光分割手段は、前記干渉光を前記撮像手段へ向かう光路へ導くことを特徴とする請求項１に記載の眼科装置。
【請求項３】
前記光分割手段は、前記干渉光を前記撮像手段へ向かう光路と、前記受光センサーへ向かう光路へ導くことを特徴とする請求項１または２に記載の眼科装置。
【請求項４】
前記光分割手段は、前記受光センサーにより網膜の像を撮像する際には、前記測定光路に介在しない位置へ移動することを特徴とする請求項１または２に記載の眼科装置。
【請求項５】
前記光源は、複数の波長を切り換えて出力する光源であり、
前記補正手段は、前記光源が出力する複数の波長の光のうちの一つの波長の光により撮像された干渉縞の画像から得られた補正データを用いることを特徴とする請求項１乃至４のいずれか１項に記載の眼科装置。
【請求項６】
前記光源は、複数の波長を切り換えて出力する光源であり、
前記補正手段は、複数の波長の光を用いて得られたそれぞれの干渉縞の画像から得られた補正データを用いることにより、波面収差を波長毎に補正することを特徴とする請求項１乃至４のいずれか１項に記載の眼科装置。
【請求項７】
前記光源とは別の光源と、
前記光源の光を透過し、前記別の光源の光を反射するダイクロイックミラーにより前記別の光源の光を前記光分割手段へ導く手段を更に備え、
前記撮像手段は、前記測定光路と前記参照光路における前記別の光源からの光の戻り光により生成される干渉縞を撮像することを特徴とする請求項１乃至３のいずれか１項に記載の眼科装置。
【請求項８】
前記参照光路に配置され、前記光源からの光を遮断し前記別の光源からの光を透過するバンドパスフィルターを更に備えることを特徴とする請求項７に記載の眼科装置。
【請求項９】
前記光分割手段により生成された干渉光の光路に配置され、前記光源の光と前記別の光源の光を分離する更なるダイクロイックミラーを更に備え、
前記更なるダイクロイックミラーにより分離された前記別の光源の光による干渉光を前記撮像手段へ導き、前記更なるダイクロイックミラーにより分離された前記光源からの光を前記受光センサーへ導くことを特徴とする請求項７または８に記載の眼科装置。
【請求項１０】
光源より測定光路を介して被検眼の眼底に光を照射し、戻り光を該測定光路を介して受光センサーに導き、網膜の像を撮像する眼科装置の波面収差補正方法であって、
前記光源からの光を前記測定光路へ進む光と、前記測定光路とは異なる参照光路へ進む光とに分割し、前記参照光路で折り返された戻り光と前記測定光路からの戻り光を合成して干渉光を取得し、
前記被検眼の瞳の位置と共役な位置において、前記干渉光により生成される干渉縞を撮像し、
撮像された干渉縞の画像から得られる前記被検眼の波面収差を補正する補正データにより、前記測定光路を通る光の波面収差を補正する、ことを特徴とする波面収差補正方法。
【発明の詳細な説明】
【技術分野】
【０００１】
本発明は、個人の眼球内で発生する波面収差を測定し、その収差をキャンセルして像形成を行なう眼科装置およびその波面収差補正方法に関する。
【背景技術】
【０００２】
従来より、光干渉を利用して眼底断層像を取得する光干渉断層映像法（ＯＣＴ）又は眼底の高精細な２次元画像を取得する走査レーザ検眼鏡（ＳＬＯ）を用いて眼底を撮像する眼科装置がある。しかし、これらの眼科装置では、角膜や水晶体等の眼の光学組織を通して画像を撮像しなければならない。尚、ＯＣＴはOptical Coherence Tomographyの略であり、ＳＬＯはScanning Laser Ophthalmoscopeの略である。
【０００３】
近年、画像の高解像度化に伴い、角膜や水晶体の収差の影響が撮像画像の画質に大きく影響するようになってきた。そこで、眼の収差を測定し、その収差を補正する補償光学系である適応光学（ＡＯ：Adaptive Optics）を光学系に組み込んだＡＯ−ＯＣＴやＡＯ−ＳＬＯの研究が進められている。
【０００４】
特許文献１では、上述のＡＯ−ＯＣＴとＡＯ−ＳＬＯとが併用されている。また、眼の収差測定器として、一般的によく使われるシャックハルトマン波面センサーが記載されている。そして、シャックハルトマン波面センサーで測定された眼球収差をキヤンセルするようにフォーカスするか又は可変形状ミラーで補正するようにして、ＯＣＴ画像およびＳＬＯ画像の両者共に良好な画像を得るものである。尚、可変形状ミラーの代わりに液晶素子でもよいことが記載されている。
【０００５】
シャックハルトマン波面センサーは、一般的に、ＣＣＤやＣＭＯＳなどの撮像素子と、複数のマイクロレンズが並べられた２次元マイクロレンズアレイとで構成され、マイクロレンズの焦点面に撮像素子が配置されている。マイクロレンズアレイは、縦：数十個、横：数十個程度のマイクロレンズが並べられ、約数千個のマイクロレンズが存在する。マイクロアレイレンズの下には、撮像素子（１００万画素以上、現在は１０００万画素以上の撮像素子も市販されている）が配置され、１つのマイクロレンズの下に、１０画素×１０画素以上の撮像素子のエリアが割り当てられる。
【０００６】
尚、眼球瞳面とシャックハルトマンセンサーのマイクロレンズ面とは、ほぼ共役関係に設定されるため、眼球瞳面での波面収差がマイクロレンズ面にそのまま現れる。但し、マイクロレンズアレイは、縦：数十個、横：数十個で構成されているため、縦横に分割された波面収差を測定することになる。
【０００７】
１つのマイクロレンズでは、波面収差の状態により、割り当てられた撮像素子エリア上で焦点像が縦横にずれるため、そのずれ量により、１つのマイクロレンズでの眼球の収差量が測定できる。その後、全マイクロレンズ（数千個）で測定された眼球の収差を、近似でつなぎ合わせて（ツエルニケ係数化）、眼球面全体における収差を算出している。これがシャックハルトマン波面センサーの原理である。
【０００８】
また、波面補正デバイスとして機能する可変形状ミラーは、現状では、縦：数十、横：数十ぐらいに分割されて駆動するものがほとんどで、全体として数千分割駆動による波面補正が可能であるが、それ以上の高分割駆動は難しい。
【０００９】
一方、可変形状ミラーの代わりに用いる液晶素子には、位相を制御できる特殊な位相型液晶素子が存在し、画素１つ１つの位相を制御できるものがある。ここで、「位相が制御できる」ということは、画素１つ１つで波面補正ができるということである。
【００１０】
現存する位相型液晶素子は、縦：１０００画素、横：１０００画素のデバイスであり、合計１００万画素の波面補正駆動が可能である。尚、波面補正デバイスも眼球瞳面と共役な位置に置かれるため、眼球面全体を１００万分割して、波面収差補正を行っていることに等しい。
【先行技術文献】
【特許文献】
【００１１】
【特許文献１】特開２０１０−２７９６８１号公報
【発明の概要】
【発明が解決しようとする課題】
【００１２】
上述したように、波面補正デバイスとして、位相型液晶素子を用いることにより、１００万画素の波面補正（＝１００万分割の波面補正）を行うことができる。しかしながら、上述の波面補正デバイスとして、高分解能の位相型液晶素子を用いても、シャックハルトマン波面センサーでは数千分割が限度のため、１００万分割駆動可能な位相型液晶素子に対してはあまりにも分割数が足りない。更に、高分割、高分解能の波面センサーが必要である。つまり、シャックハルトマン波面センサー自体も、１００万分割以上可能な高分解能の波面センサーが必要になる。
【００１３】
また、シャックハルトマン波面センサーでは、分割された波面収差データから全体のツエルニケ収差係数に近似フィッティングし、波面補正デバイスに入力するが、近似フィッティングなので、誤差も発生し、演算処理時間もかなりかかってしまう。
【００１４】
本発明は、高精度、高分解能で眼球内の波面収差を補正できる眼科装置及び波面収差補正方法を提供することを目的とする。
【課題を解決するための手段】
【００１５】
上記目的を達成するための本発明の一態様による眼科装置は以下の構成を有する。すなわち、
光源より測定光路を介して被検眼の眼底に光を照射し、戻り光を該測定光路を介して受光センサーに導き、網膜の像を撮像する眼科装置であって、
前記光源からの光を前記測定光路へ進む光と、前記測定光路とは異なる参照光路へ進む光とに分割し、前記参照光路で折り返された戻り光と前記測定光路からの戻り光を合成して干渉光を得る光分割手段と、
前記被検眼の瞳の位置と共役な位置に、前記干渉光により生成される干渉縞を撮像する撮像手段と、
前記撮像手段によって撮像された干渉縞の画像から得られる前記被検眼の波面収差を補正する補正データにより、前記測定光路を通る光の波面収差を補正する補正手段と、を有する。
【発明の効果】
【００１６】
本発明によれば、高精度、高分解能で眼球内の波面収差を補正することができる。
【図面の簡単な説明】
【００１７】
【図１】第１の実施形態における波面収差補正装置の構成の一例を示す図。
【図２】本実施形態における波面収差補正処理を示すフローチャート。
【図３】第１の実施形態の変形例の波面収差補正装置の構成の一例を示す図。
【図４】第２の実施形態における波面収差補正装置の構成の一例を示す図。
【図５】第２の実施形態の変形例の波面収差補正装置の構成の一例を示す図。
【図６】第３の実施形態における波面収差補正装置の構成の一例を示す図。
【図７】第３の実施形態の変形例の波面収差補正装置の構成の一例を示す図。
【図８】実施形態による干渉マップの例を示す図。
【図９】（ａ）は実施形態による波面収差マップの例を示す図、（ｂ）は実施形態による波面収差キャンセルマップを示す図。
【発明を実施するための形態】
【００１８】
以下、図面を参照しながら発明を実施するための形態について詳細に説明する。以下の実施形態では、眼科装置として光干渉断層法（ＯＣＴ）を用いた眼底断層撮像装置を例示する。また、波面収差を高分解能で測定するために干渉縞撮像カメラ（干渉縞センサー）を用いて、高精度で波面収差を測定する。ここで、波面収差の測定の分解能は、波面収差を補正する波面補正デバイスの分解能（１００万画素）以上とする。
【００１９】
なお、本実施形態では、被検眼である眼球の波面収差を補正する補償光学系である適応光学（ＡＯ）を光学系に組み込んだＡＯ−ＯＣＴを例に挙げて説明する。
【００２０】
［第１の実施形態］
第１の実施形態における波面収差補正装置の構成を、図１を用いて説明する。不図示の光源から光ファイバーを通して伝達された光は、光ファイバーの平面端面（ＦＣ）又はチルト端面（ＡＰＣ）を発光面として発光する。一方、眼球からの戻り光は、光ファイバーの平面端面（ＦＣ）又はチルト端面（ＡＰＣ）を受光面として光ファイバーに入射される。光ファイバーに入射した戻り光は、不図示のファイバーカプラーで、フォトダイオード（ＰＤ）等の受光センサーに導かれ、受光センサーの出力が網膜像の形成に用いられる。また、図１では、３つのアフォーカル共役光学系４、６、８を介して眼球瞳１０と共役な３つの共役面１１を形成している。３つの共役面には、それぞれ干渉縞センサー１４、波面補正デバイス５、スキャナー７が配置されている。
【００２１】
光源から光ファイバーの端面１へ伝達された光は、コリメータレンズ２で平行化され、光分割素子（ハーフミラー）３へ入射する。光分割素子３の透過光は、測定光路（往路）に導かれる。透過光は、測定光路のアフォーカル共役光学系４を経て波面補正デバイス５に入射する。図１に示す例では、簡易的に透過型の波面補正デバイス５を用いているが、実際は高分解能で補正可能な反射型の位相型液晶素子を使う。波面補正デバイス５から出た光は、アフォーカル共役系６を介してスキャナー７へ入射する。スキャナー７は、入射した光に眼球内の眼底（図１では網膜２３）を走査させる。
【００２２】
なお、図１に示す例では、簡易的に透過型のスキャナー７を用いているが、実際は２次元駆動する反射型の走査ミラー等を用いるのが好ましい。尚、２次元駆動する走査ミラーは、１次元走査ミラーを２つ組み合わせて実現されてもよい。また、図１に示す例では、網膜２３に対する走査の範囲として中心光束のみが記載されている。
【００２３】
その後、透過光は、アフォーカル共役光学系８を介して眼球瞳１０から眼球９へ照射され、網膜２３で反射される。そして、網膜２３で反射された後に、戻り光として上述した測定光路（往路）を逆に復路として戻る。
【００２４】
また、コリメータレンズ２で平行化された光のうち光分割素子３で反射された光は、参照光として参照光路（往路）に導かれる。参照光は、参照光路により折り返し参照ミラー１２まで進み、その反射光が戻り光として参照光路を復路として逆方向に戻る。ここで、光分割素子３から折り返し参照ミラー１２までの光路長は、測定光路の光分割素子３から網膜２３までの光路長にほぼ等しくなるように、参照光路内の不図示の光路調整部で調整されている。これにより、光分割素子３で分割された測定光路の戻り光と参照光路の戻り光とによる干渉縞の干渉性を高めることができる。
【００２５】
参照光路の戻り光のうち光分割素子３で透過された戻り光と、測定光路の戻り光のうち光分割素子３で反射された戻り光とが、光分割素子３で干渉光が合成される。ここで、干渉光は、ミラー１３を介して干渉縞センサー１４に入射する。参照光路と測定光路の光路長を合わせると、干渉縞センサー１４でコントラストの高い干渉縞画像を干渉光から撮像することができ、波面収差測定の精度が向上する。図８に干渉縞センサー１４により撮像される干渉縞画像の一例を示す。眼球に収差が無ければ測定光路の戻り光と参照光路の戻り光の干渉縞はほとんど発生しないが、眼球に収差があれば干渉縞が発生する。
【００２６】
その後、干渉縞センサー１４で撮像された干渉縞画像は、波面収差算出部２４へ送られて等高線マップ（波面収差マップ）化、逆位相マップ（波面収差キヤンセルマップ）化された後、直接、波面補正デバイス５へ送られ、波面収差の補正が行われる。これにより、誤差を含まず、簡単な換算演算により、処理速度の速い、波面収差の補正を実現することができる。
【００２７】
一方、参照光路の戻り光のうち光分割素子３で反射された光と、測定光路の戻り光のうち光分割素子３で透過された光とで生成された干渉光は、コリメータレンズ２を介して端面１に入射され、その後、受光センサーに導かれる。受光センサーで検出され、出力される干渉光の信号は断層像の形成に用いられる。尚、光源が高コヒーレンスで光源の波長が時間的に変化するＳＳ（SWEPT SOURCE）光源を使う場合は、受光センサーとしてのフォトダイオード（ＰＤ）で得られたデータ（干渉光の信号）をフーリエ変換すれば、網膜断層画像が得られる。また、光源が低コヒーレントＳＬＤの場合、受光センサーとしてのラインＣＣＤセンサーの前で光を分光し、ラインＣＣＤセンサーのデータをフーリエ変換すれば、網膜断層画像が得られる。
【００２８】
以上のような光分割素子（ハーフミラー）３の使い方により、眼科装置がもともと所有しているＯＣＴ眼底断層像のための測定光路や参照光路が干渉縞センサー１４の測定光路や参照光路としても用いられる。このため、装置を大型化させずに、波面センサーの分解能を上げることができる。また、波面補正デバイス５に対する補正データをＯＣＴ撮影中に得られた干渉縞の画像から算出し、更新することができ、波面収差の影響をより効果的に除去することができる。
【００２９】
尚、光源については、ＳＳ光源を選択するのが好ましい。ＳＬＯのような様々な波長が混合した光（もっとも強度が強い波長＝基準単波長を中心として波長幅約１００ＮＭの光）では、干渉縞センサー１４での干渉縞画像の画質が悪いため、波面収差の測定の信頼性が低くなる。しかしＳＳ光源は広い波長幅の光を発するのでなく、ぼぼ単波長光の光を時間的に波長を変えて発することができるため、干渉性が高く、きれいな干渉縞を得られる。例えば基準波長１０３０ＮＭで変化波長幅７０NMのSS光源で、干渉縞計測を最も強度の強い基準単波長１０３０ＮＭで行うことにより、良好な干渉縞計測ができ、信頼性が高い波面収差測定ができる。また、基準単波長と異なる複数の単波長で複数回、干渉縞データを取得し、各波長で波面計測を行うことにより、ＳＳ光源の時分割で波長掃引する波長毎に収差補正すれば、眼球の色収差も補正することができる。
【００３０】
次に、光分割素子３及び干渉縞センサー１４を用いて測定された眼球内の波面収差を波面補正デバイス５が行う波面収差補正処理を、図２に示すフローチャートを用いて説明する。
【００３１】
まず、Ｓ２０１において、光源からの光が光分割素子３により測定光路と参照光路とに分けられ、網膜２３からの戻り光と折り返し参照ミラー１２からの戻り光とにより干渉縞が生成される。そして、Ｓ２０２において、高分解能の干渉縞センサー１４がＳ２０１で生成された干渉縞を撮像し、眼球内の波面収差が高精度の干渉縞画像として測定される。次に、Ｓ２０３において、波面収差算出部２４が干渉縞センサー１４によって測定された干渉縞画像から波面収差をキャンセルするための波面収差キャンセルデータを算出する。そして、Ｓ２０４において、波面補正デバイス５が波面収差算出部２４から送られてきた波面収差キャンセルデータによって波面収差を補正する。
【００３２】
Ｓ２０２において撮像された干渉縞から得られる干渉縞マップ（図８）の縞間隔は波長λ／２であり、２本目との間隔は３λ／２、３本目との間隔は５λ／２となる。この干渉縞マップを等高線状のマップに変換すれば、波面収差マップ（図９の（ａ））になる。従って、干渉縞センサー１４により撮像された干渉縞から容易に波面収差マップを生成することができる。またその分解能、精度は、干渉縞を撮影した干渉縞センサー１４（撮像素子）の画素数できまる。現状の撮像素子の画素数は１００万以上であり、マイクロレンズの個数（分割数）で測定精度が決定されるシャックハルトマンセンサーよりも圧倒的に波面収差の測定精度が高くなる。
【００３３】
干渉縞撮影カメラ（干渉縞センサー１４）の撮像素子が１０００×１０００画素（１００万画素）とすれば、１画素ごとの波面収差データ（図９（ａ））が得られ、そのデータの逆位相のデータを生成することで波面収差キャンセルマップ（図９（ｂ））が得られる。この波面収差キャンセルマップを波面補正デバイス液晶（１０００×１０００画素）の各画素を駆動する２次元データとして入力すれば、１画素分解能の高精度波面補正が実現できる。従って、干渉縞センサー１４の画素数が波面補正デバイスの画素数に近ければ、このような干渉縞センサー１４により得られた干渉縞画像を用いて波面収差デバイスをほぼ画素単位で制御することができ、高精度な波面収差補正を実現できる。
【００３４】
以上、眼科装置としてＡＯ−ＯＣＴを例に挙げて説明したが、本発明は、眼底の高精細な２次元画像を取得する走査レーザ検眼鏡（ＳＬＯ）の光学系に適応光学を組み込んだＡＯ−ＳＬＯにも適用可能である。そのような適用例を図３に示す。ＡＯ−ＳＬＯの基本的な構成は図１のＡＯ−ＯＣＴと同じである。
【００３５】
ＡＯ−ＳＬＯの場合は、ＳＬＯ画像を生成する端面１に参照光が入射すると画像が劣化してしまうので、参照光の入射をなくすために、ＳＬＯ画像の生成時には光分割素子３を図３の点線で示すように光路に介在しない位置へ移動する。この構成により、参照光が入らない良好なＳＬＯ画像を得ることができる。尚、眼球内の波面収差を計測する際は、図１で説明したように光分割素子３を元の状態に戻す必要があることは言うまでもない。また、光分割素子３を使用するか否かの制御は、不図示の制御部が波面収差の測定開始時か、眼底断層像の撮像開始時の何れかのタイミングで行えばよい。
【００３６】
このように、光分割素子３及び干渉縞センサー１４を用いて眼球内の波面収差を測定し、波面補正デバイス５でその波面収差を補正することにより、ＡＯ−ＯＣＴ、ＡＯ−ＳＬＯ共に高精細な眼底断層像を撮像することができる。
【００３７】
［第２の実施形態］
次に、図面を参照しながら本発明に係る第２の実施形態を詳細に説明する。第２の実施形態では、ＡＯ−ＯＣＴの眼底画像取得用の光源の波長と、干渉縞センサー１４での波面計測用の光源（ビーコン光源）の波長とを異ならせる。
【００３８】
第２の実施形態における波面収差補正装置の構成を、図４を用いて説明する。本例では、コリメータレンズ２と光分割素子（ハーフミラー）３との間に、ビーコン光源１５、ビーコン光源１５からの光を平行化するビーコンコリメータレンズ１６、ビーコン波長は反射しＯＣＴ画像波長は透過するダイクロイックミラー１７が挿入されている。この構成により、ビーコン光が受光面としての端面１に入射することがなく、ビーコンゴースト光をカットすることができ、高画質な眼底断層像が得られる。なお、波面収差補正の動作は、干渉縞センサー１４による干渉縞の撮影にビーコン光が用いられることを除けば、第１実施形態と同様である。なお、ＯＣＴ撮影中はビーコン光源１５を消灯するようにしてもよい。
【００３９】
また、第１の実施形態と同様に、上記ビーコン光源を用いた構成はＡＯ−ＳＬＯにも適用可能であり、その構成例を図５に示す。図５に示す例では、光ファイバーの端面１に折り返し参照ミラー１２からの戻り参照光が入射しないように、参照光路上にビーコン波長の光を透過し、ＳＬＯ画像の波長の光を遮断するバンドパスフィルター１８を入れている。この構成により、光ファイバーの端面１に参照光が入射せず、ゴーストの発生を阻止できるため、良好なＳＬＯ画像が得られる。なお、バンドパスフィルター１８を挿入する代わりに、ダイクロイックミラー１７を光路から外してビーコン光源１５からの光が測定光路へ入射しないようにするとともに、光分割素子３を光路から外して参照光路を切り離してもよい。
【００４０】
また、バンドパスフィルター１８を挿入してもビーコン光のための参照光路は存在するので、干渉縞センサー１４で干渉縞画像を撮像でき、良好なＳＬＯ画像が得られると共に、高分解能、高精度な波面収差測定、波面収差補正が可能となる。
【００４１】
［第３の実施形態］
次に、図面を参照しながら本発明に係る第３の実施形態を詳細に説明する。第３の実施形態では、第２の実施形態において光ファイバーの端面１により発光面及び受光面を発光面として用い、発光面１９と受光面２２に分離したものである。
【００４２】
第３の実施形態における波面収差補正装置の構成を、図６を用いて説明する。この例では、端面１を発光面として使用し、発光面１９を別途設け、ミラー１３をビーコン波長は反射、ＯＣＴ画像波長は透過するダイクロイックミラー２０に置き換え、受光レンズ２１、受光面２２を入れている。第２の実施形態の構成では、発光面及び受光面としての端面１とコリメータレンズ２との間で強いゴースト（発光面からのコリメータレンズ２の表面反射戻り光）が発生しやすく、ＯＣＴ画像を劣化させる。しかし本実施形態のように発光面１９と受光面２２を分離することにより、このようなゴーストの受光面へ入射を防ぐことができ、更に高画質のＯＣＴ画像が得られる。
【００４３】
また、第２の実施形態と同様に、本発明は、ＡＯ−ＳＬＯにも適用可能である。図７に示す例では、図５に示す第２の実施形態と同様に、参照光路上にビーコン波長の光のみを透過、ＳＬＯ画像の波長の光を遮断するバンドパスフィルター１８を入れる。尚、第３の実施形態の効果も、第２の実施形態の効果と同様である。なお、第３実施形態で説明した発光面１９と受光面２２を分離する構成は、第１実施形態（図１、図３）の構成にも適用可能であることは明らかである。また、ダイクロイックミラー２０は、ＯＣＴ画像波長を反射しビーコン波長を透過するものであってもよいことは言うまでもない。
【００４４】
［他の実施形態］
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2014079464.tif 000003
【図２】
2014079464.tif 000004
【図３】
2014079464.tif 000005
【図４】
2014079464.tif 000006
【図５】
2014079464.tif 000007
【図６】
2014079464.tif 000008
【図７】
2014079464.tif 000009
【図８】
2014079464.tif 000010
【図９】
2014079464.tif 000011